(57)【特許請求の範囲】
【請求項１】
洗濯物を洗剤及び水と共にドラム内に収容して、該ドラムを回転させることにより洗うようにしたものにおいて、
前記ドラム内に給水する給水手段と、
前記ドラム内の泡の異常発生を検知する泡検知手段とを具備すると共に、
その検知結果に応動する制御手段を具備し、
その制御手段が、前記給水手段による給水中に前記ドラム内の泡の異常発生が検知されたときに、その給水を中止して、ドラムを回転させる運転に移行する制御をすることを特徴とするドラム式洗濯機。
【請求項２】
洗濯物を洗剤及び水と共にドラム内に収容して、該ドラムを回転させることにより洗うようにしたものにおいて、
運転を一時的に停止させるための一時停止操作手段と、
前記ドラム内に通じる洗濯物出入口を開閉するドアをロックするロック手段と、
前記ドラム内の泡の異常発生を検知する泡検知手段とを具備すると共に、
前記一時停止操作手段の操作並びに前記泡検知手段の検知結果に応動する制御手段を具備し、
その制御手段が、前記ドラム内の泡の異常発生が検知されないときには、一時停止操作があったときにドアのロックを解除し、前記ドラム内の泡の異常発生が検知されたときには、一時停止操作があってもドアのロックを解除しない制御をすることを特徴とするドラム式洗濯機。
【請求項３】
洗濯物を洗剤及び水と共にドラム内に収容して、該ドラムを回転させることにより洗うようにし、そのドラム内の泡の異常発生をエアトラップを介する圧力の変化により検知する泡検知手段を具備するドラム式洗濯機に対し、
前記エアトラップ内に注水してその圧力の変化により該エアトラップのドラム側接続口の詰まりを検知するようにしたことを特徴とするドラム式洗濯機の泡検知用エアトラップの詰まり検知方法。
【請求項４】
エアトラップのドラム側接続口の詰まりを最終すすぎ時に検知したときに、全運転を終了した時点で報知をすることを特徴とする請求項３記載の詰まり検知方法を採用したドラム式洗濯機。
【発明の詳細な説明】
【０００１】
【発明の属する技術分野】
本発明はドラム内の泡の異常発生を検知する手段を有するドラム式洗濯機及びこれの泡検知用エアトラップの詰まり検知方法に関する。
【０００２】
【従来の技術】
従来より、ドラム式洗濯機においては、洗濯物の洗いを、ドラム内に洗剤及び洗濯水と共に洗濯物を収容した状態で、該ドラムを回転させることにより行うようになっている。このため、その洗い時には、洗剤を含んだ洗濯水が盛んに撹拌され、それによって、洗剤が一般の非低発泡洗剤であった場合には、非常に多くの泡が発生する。このように多くの泡が発生すると、洗濯物をドラムの回転により上げてから落とすことでその衝撃力により洗うたたき洗いをするのに、ドラム内の泡が洗濯物を緩衝的に受けてしまって、たたき洗いの衝撃力を和らげ過ぎることにより、充分な洗い効果が得られなくなる。
【０００３】
又、ドラム式洗濯機においては、洗濯物の脱水も、ドラムを回転させることにより行うようになっており、それに対して、特に洗い直後の脱水時には、上述のごとく発生してドラムとこれを収容した水槽との間に溜まった泡がドラムの回転を阻害してしまい、その結果、ドラムの回転速度が上がらず、充分な脱水ができなくなる。
【０００４】
このため、ドラム式洗濯機においては、泡立ちの少ない低発泡洗剤の使用が推奨され、非低発泡洗剤が使用できないとされていた。なお、低発泡洗剤は、添加されている界面活性剤の種類により発泡性を抑えたもので、低発泡であり、泡の消去性いわゆる泡切れも良くて、汚れの少ない洗濯物を時間をかけずに洗濯するスピードコースや、節水仕様の全自動洗濯機に最適であるとされているレベルのものである。
【０００５】
これに対して、非低発泡洗剤は、泡立ちは多いものの、入手が容易で、種類も多く、香りも良くて、更に安価であり、ドラム式洗濯機においても、これの使用ができることを望む使用者が多い。
そこで、本出願人においては、ドラム内の泡の異常発生を検知する泡検知装置を設け、この泡検知装置により、洗い中、異常に多くの泡の発生が検知されたときには、ドラム内の水を減らす等の、泡のそれ以上の発生を抑える処置をとるものを先に発明した。
【０００６】
【発明が解決しようとする課題】
しかしながら、上記洗い前の、ドラム内への給水中にも、洗剤を含んだ洗濯水が、逐次供給される水の落下の衝撃等を受けることにより泡が発生するもので、更にその泡の下に、逐次供給される水が潜り込むことで泡が押し上げられ、このようにしてドラム内への給水中に泡が異常発生した場合には、それ以上給水を続けると、泡の発生を更に増やしてしまうものであり、これを上述のものでは防止することができなかった。
【０００７】
更に、運転中、泡が異常発生している状況で、洗濯物の追加等を目的として、洗濯物出入口を閉鎖したドアを開けると、その出入口から泡があふれ出すおそれがあった。
【０００８】
加えて、泡検知装置が、ドラム内の泡の異常発生を、エアトラップを介する圧力の変化により検知するものの場合、そのエアトラップのドラム側接続口が洗濯物から発生した糸屑等によって詰まることが考えられ、詰まれば、ドラム内の泡の異常発生を検知できなくなるおそれを有していた。
【０００９】
本発明は上述の事情に鑑みてなされたものであり、従ってその目的は、
第１に、ドラム内への給水中に泡が異常発生した場合に、泡の発生を更に増やしてしまうことのないドラム式洗濯機を提供し、
第２に、運転中、泡が異常発生している状況で、不用意にドアを開けてしまうことのないドラム式洗濯機を提供し、
第３に、泡検知のためのエアトラップのドラム側接続口の詰まりを、簡単且つ確実に検知できるドラム式洗濯機の泡検知用エアトラップの詰まり検知方法を提供するにある。
【００１０】
【課題を解決するための手段】
上記第１の目的を達成するために、本発明のドラム式洗濯機は、洗濯物を洗剤及び水と共にドラム内に収容して、該ドラムを回転させることにより洗うようにしたものにおいて、前記ドラム内に給水する給水手段と、前記ドラム内の泡の異常発生を検知する泡検知手段とを具備すると共に、その検知結果に応動する制御手段を具備し、その制御手段が、前記給水手段による給水中に前記ドラム内の泡の異常発生が検知されたときに、その給水を中止して、ドラムを回転させる運転に移行する制御をすることを特徴とする（請求項１の発明）。
【００１１】
このものによれば、ドラム内への給水中に泡が異常発生した場合に、給水が中止されて、ドラムを回転させる運転に移行することにより、それ以上給水を続けることが避けられ、泡の発生が抑制される。
【００１４】
上記第２の目的を達成するために、本発明のドラム式洗濯機は、洗濯物を洗剤及び水と共にドラム内に収容して、該ドラムを回転させることにより洗うようにしたものにおいて、運転を一時的に停止させるための一時停止操作手段と、前記ドラム内に通じる洗濯物出入口を開閉するドアをロックするロック手段と、前記ドラム内の泡の異常発生を検知する泡検知手段とを具備すると共に、前記一時停止操作手段の操作並びに前記泡検知手段の検知結果に応動する制御手段を具備し、その制御手段が、前記ドラム内の泡の異常発生が検知されないときには、一時停止操作があったときにドアのロックを解除し、前記ドラム内の泡の異常発生が検知されたときには、一時停止操作があってもドアのロックを解除しない制御をすることを特徴とする（請求項２の発明）。
【００１５】
このものによれば、運転中、泡が異常発生している状況では、一時停止操作してもドアのロックが解除されないので、そのドアを不用意に開けてしまうことが避けられ、洗濯物出入口からの泡のあふれ出しに困惑することのないようにできる。
【００１６】
上記第３の目的を達成するために、本発明のドラム式洗濯機の泡検知用エアトラップの詰まり検知方法は、洗濯物を洗剤及び水と共にドラム内に収容して、該ドラムを回転させることにより洗うようにし、そのドラム内の泡の異常発生をエアトラップを介する圧力の変化により検知する泡検知手段を具備するドラム式洗濯機に対し、前記エアトラップ内に注水してその圧力の変化により該エアトラップのドラム側接続口の詰まりを検知するようにしたことを特徴とする（請求項３の発明）。
【００１７】
この方法によれば、エアトラップのドラム側接続口が詰まっているとき、エアトラップ内には注入した水が溜まり、その溜まった水の体積分の空気が圧縮される。このときのエアトラップを介する圧力の変化は、エアトラップ内に溜まった水によるものであるから、泡によるものよりかなり大きい。かくして、エアトラップ内に注水するだけのことで、泡の異常発生時とは明確に区別してエアトラップのドラム側接続口の詰まりを検知することができる。
【００１８】
この場合、ドラム式洗濯機としては、エアトラップのドラム側接続口の詰まりを最終すすぎ時に検知したときに、全運転を終了した時点で報知をするようにすると良い（請求項４の発明）。
このものでは、最終すすぎでエアトラップのドラム側接続口の詰まりを検知したときには、その後、泡の発生のない脱水運転や乾燥運転は行っても支障ないので、全運転を終了した時点で報知をすることにより、運転の途中に使用者を呼び付けるようなことがない。
【００１９】
【発明の実施の形態】
以下、本発明の第１実施例につき、図１ないし図１２を参照して説明する。
まず、図２に示すように、ドラム式洗濯機全体の外殻を成す外箱１の前面部には、中央部にドア２を設け、上部に、操作パネル３と、引出し式の洗剤投入用ケース４とを設けている。
このうち、ドア２は、図３に示すように、外箱１の前面部の中央部に形成した洗濯物出入口５を開閉するもので、外箱１の前面部の裏側の上部（操作パネル３の裏側）には操作回路ユニット６を設け、下部に制御回路ユニット７を設けている。
【００２０】
外箱１の内部には水槽８を配設している。この水槽８は円筒状を成すものであり、その軸方向が前後（図３中、左右）となる横軸状で、しかも、前上がりの傾斜状に配設し、左右一対（図５参照）の弾性支持装置９により支持している。
【００２１】
水槽８の内部には、ドラム１０を水槽８と同軸状に配設している。このドラム１０は、洗濯、脱水及び乾燥に共用の槽として機能するものであり、胴部のほゞ全域に通水孔であり通風孔でもある小孔１１を多数有し（図３に一部のみ図示）、胴部の内周部には洗濯物掻き上げ用のバッフル１２を複数有している（同、１つのみ図示）。
【００２２】
水槽８及びドラム１０は、いずれも前面部に洗濯物出し入れ用の開口部１３，１４を有しており、そのうちの水槽８の開口部１３を、ベロー１５によって前記外箱１の洗濯物出入口５に水密に連ね、ドラム１０の開口部１４を水槽８の開口部１３に臨ませることにより、ドラム１０の内部に洗濯物出入口５が通じるようにしている。
【００２３】
水槽８の背面部には、ドラム１０を回転駆動する駆動装置としてモータ１６を配設している。このモータ１６は、この場合、アウターロータ形であり、そのステータ１６ａを水槽８の背面部に取付け、ロータ１６ｂの中心部に取付けた回転軸１６ｃを水槽８内に挿通して、これの前端部にドラム１０の背部の中心部を取付けている。
【００２４】
水槽８の下面部には水溜器１７を取付けており、この水溜器１７の内部に洗濯水加熱用のヒータ１８を配設し、水溜器１７の後部には排水弁１９を介して排水ホース２０を接続している。この場合、排水弁１９は電磁石やモータ等の駆動力で開放される電動式のものであり、排水ホース２０と共に、水槽８内の水、ひいてはドラム１０内の水を排出する排水手段として機能するようになっている。
【００２５】
一方、水槽８上には、後側に送風機２１を配設し、前側に加熱器２２を配設している。このうち、送風機２１は、図４に示すように、ケーシング２３の内部に送風羽根２４を設け、この送風羽根２４を回転駆動するモータ２５をケーシング２３の外部に設けて成るものであり、それらの間をベルト伝動機構２６により連結している。一方、加熱器２２は、ケース２７の内部に温風生成用ヒータ２８を設けて成るもので、ケース２７の入口部が送風機２１のケーシング２３の出口部に連通している。
【００２６】
更に、水槽８上の前部には図３に示すダクト２９を配設している。このダクト２９は、一端部が上記加熱器２２のケース２７の出口部に連通しており、他端部が水槽８内に臨んでいる。
【００２７】
水槽８の背面部には又、熱交換器３０を配設している。この熱交換器３０は、上部から水が注ぎ入れられることによって、内部を下方から通る空気の水分を水により熱交換して冷却し凝縮させて除湿する水冷式のものであり、全体に中空状を成している。又、この熱交換器３０は、図５に示すように、ドラム１０の回転中心たる前記モータ１６の回転軸１６ｃに対して同心円状に湾曲する形状を成すものであり、モータ１６を避けてその図５中左側に配設している。
【００２８】
しかして、熱交換器３０は、下部に連通口である水出口兼用の空気入口３１を有しており、その空気入口３１を水槽８の内下部に連通させている。又、熱交換器３０は、上部をダクト３２により前記送風機２１のケーシング２３に連通させており、以上の熱交換器３０、ダクト３２、送風機２１、並びに前記加熱器２２、及びダクト２９により、乾燥ユニット３３を構成している。
【００２９】
熱交換器３０には、内部の上部に注水管３４を横架して設けている。この注水管３４は、熱交換器３０内の下方部を臨む下面部に例えば横一列状に多数の噴水口３４ａを有しており、一端部の接続部３４ｂを熱交換器３０外に位置させている。そして、その注水管３４の接続部３４ｂには、第１の注水チューブ３５の一端部を接続し、該第１の注水チューブ３５の他端部を給水弁３６に接続している。
【００３０】
ここで、上記第１の注水チューブ３５及び給水弁３６は、熱交換器３０に注水する注水手段たるものであり、その給水弁３６は前記外箱１内の最上部に取付けている。
【００３１】
又、熱交換器３０には、上下の中間部の背部にエアトラップ３７を取付けている。このエアトラップ３７は、詳細には図６及び図７に示すように、独立した中空部品から成っており、下部に前方（図７中、左側）へ突出する第１の接続口３８を有し、上部に上方へ突出する第２の接続口３９を有している。又、このエアトラップ３７の図６中右側の中間部には斜め上方へ突出する第３の接続口４０を形成しており、そのほか、該エアトラップ３７の下部には、左右及び下方の三方に突出する取付部４１を形成している。
【００３２】
これに対して、熱交換器３０の上下の中間部の背部には、連結受口４２と、これの周囲三か所に位置する取付受ボス４３とを形成しており、そのうちの連結受口４２に上記エアトラップ３７の第１の接続口３８を、図７に示すように、先端部が熱交換器３０の内面とほゞ面一となるところまで挿入して、エアトラップ３７を熱交換器３０内と連通させている。従って、エアトラップ３７の第１の接続口３８は、熱交換器３０に対するエアトラップ３７の連通部として機能するものであり、且つドラム側接続口として機能するものである。
【００３３】
又、この折り、エアトラップ３７と熱交換器３０との間には、第１の接続口３８の外周に嵌合したシール部材であるＯリング４４を挟み、その上で、各取付受ボス４３に各取付部４１を当ててそれぞれねじ４５により締付けることにより、エアトラップ３７を熱交換器３０に気密、水密に、且つ図６に示すように熱交換器３０の湾曲する形状にほゞ沿う角度に取付けている。
【００３４】
しかして、エアトラップ３７の第２の接続口３９には、エアチューブ４６の一端部を接続し、該エアチューブ４６の他端部を、図５に示す圧力センサ４７に接続して、泡検知手段として機能する泡検知装置４８を構成している。この泡検知装置４８の主体を成す圧力センサ４７は、約数百〔Ｐａ〕（参考値：数十〔ｍｍＨ２Ｏ〕）程度の微小な空気圧の検知が可能なものであり、それと並べて設けた水位センサ４９がエアチューブ５０及び図示しないエアトラップを介して前記水槽８内の貯留水位を同様に空気圧により検知するのに対して、それより１０倍ほど感度の高いものである。なお、これら圧力センサ４７及び水位センサ４９も、外箱１内の最上部に配設している。
【００３５】
又、エアトラップ３７の第３の接続口４０には、第２の注水チューブ５１の一端部を接続し、該第２の注水チューブ５１の他端部を、図４に示す給水弁５２に接続している。ここで、給水弁５２は、前記外箱１内上部の左側後部（図４中左側上部）に配設した配水装置５３中に存在しており、この配水装置５３中には、そのほか、前記給水弁３６と給水弁５４，５５とが存在している。
【００３６】
配水装置５３は、水道水を分配するもので、図示しない給水ホースを介して水道の蛇口に接続される１つの入水口５６に対し、上述の４つの給水弁３６，５２，５４，５５を有している。この場合、それらの給水弁３６，５２，５４，５５は前記排水弁１９と同様の電動式のものである。
【００３７】
しかして、給水弁３６は前記第１の注水チューブ３５と共に前記熱交換器３０に注水する注水手段を構成するもので、既述であり、又、第２の注水チューブ５１及び給水弁５２は、エアトラップ３７内に注水する注水手段を構成するものである。
【００３８】
なお、外箱１内上部の左側後部の隅部には、給水ポンプ５７を取付けている。この給水ポンプ５７は、呼び水受口５８から呼び水が供給されて、吸水口５９から風呂水など水道水以外の水を図示しない吸水ホースを介して吸入し、この吸入した水道水以外の水を吐水口６０から吐出するものである。
【００３９】
そして又、給水ポンプ５７の前方（図４中下方）であって前記外箱１内上部の左側の前部（図４中左側下部）には、注水ケース６１を配設している。この注水ケース６１は、詳しくは図示しないが、第１及び第２の２つの水道水供給路と、水道水以外供給路とを有しており、それらの出口は共通で、図３に示すように、給水管６２を介して前記水槽８内に前上方より連通している。
【００４０】
又、この注水ケース６１の水道水以外供給路には、上記給水ポンプ５７の吐水口６０を、接続ホース６３を介して接続している。注水ケース６１の第１の水道水供給路には、上記給水ポンプ５７の呼び水受口５８を接続ホース６４を介して接続している。
【００４１】
加えて、前述の洗剤投入用ケース４は、詳しくは図示しないが、洗剤を貯留する洗剤貯留部と、柔軟剤など仕上剤を貯留する仕上剤貯留部とを有し、上記注水ケース６１内に収納されて、前記第１の水道水供給路に洗剤貯留部がセットされ、第２の水道水供給路に仕上剤貯留部がセットされるようになっている。これに対して、前記給水弁５４は接続ホース６５を介して前記注水ケース６１の第１の水道水供給路に接続しており、給水弁５５は接続ホース６６を介して前記注水ケース６１の第２の水道水供給路に接続している。
このほか、図５には、水槽８内の水温及び空気温度を検知すべく該水槽８の背面の下部に設けた例えばサーミスタから成る温度センサ６７を示している。
【００４２】
図８には、前記操作パネル３の構成を詳細に示している。この操作パネル３は、「電源」スイッチ６８と、一時停止操作手段である「スタート／一時停止」スイッチ６９とを有するほかに、各種選択スイッチ７０〜７５を有しており、特にその中の「コース」選択スイッチ７２により各種コースが選択され、その選択したコースについてそれを低発泡洗剤使用コースとするか非低発泡洗剤使用コースとするかが「一般洗剤」選択スイッチ７５により選択されるようになっている。
【００４３】
ここで、その選択は、「コース」選択スイッチ７２のみを操作すれば、各種コースが低発泡洗剤使用コースで選択され、「コース」選択スイッチ７２と「一般洗剤」選択スイッチ７５とを操作すれば、各種コースが非低発泡洗剤使用コースで選択されるようになっている。
【００４４】
このほか、操作パネル３は、各種表示部７６〜８３を有し、そのうちの表示部７７が上述の「コース」選択スイッチ７２により選択されたコースを表示し、表示部８３が低発泡洗剤使用コースと非低発泡洗剤使用コースとのうちの選択されたコースを表示するようになっている。表示部８１は必要洗剤量を表示するほかに、各種コースの残り時間や、予約時間、温水の設定温度、並びに異常を表示（報知）するようになっており、従って、この表示部８１は異常報知手段として機能するものである。
【００４５】
そのほか、操作パネル３には、選択スイッチ８４〜８７と、表示部８８〜９１が存しており、そのうちの選択スイッチ８４〜８７は洗い、すすぎ、脱水、乾燥の各行程の実行を選択するためのもので、表示部８８〜９１はその各選択時間や選択回数を表示するものである。
【００４６】
一方、図９はマイクロコンピュータ９２を示しており、このマイクロコンピュータ９２は、前記制御回路ユニット７に含まれ、ドラム式洗濯機の運転全般を制御する制御手段として機能するようになっている。このマイクロコンピュータ９２には、前記操作パネル３の「電源」スイッチ６８を除く各種スイッチ６９〜７５、８４〜８７から成る操作入力部９３から各種操作信号が入力されるようになっている。操作入力部９３は前記操作回路ユニット６に含まれており、前記操作パネル３に対する使用者の操作に応じた各種操作信号を出力するようになっている。
【００４７】
このほか、マイクロコンピュータ９２には、前記水位センサ４９から水位検知信号が入力されると共に、モータ１６の回転を検知するように設けた回転センサ９４から回転検知信号が入力され、更に、水槽８内の洗濯水の汚れを検知する汚れセンサ９５から汚れ検知信号が入力され、前記ドラム１０内の洗濯物の乾燥を検知する乾燥センサ９６から乾燥検知信号が入力され、前記泡検知装置４８の圧力センサ４７から圧力検知信号が入力され、前記温度センサ６７からは温度検知信号が入力されるようになっている。
【００４８】
そして、マイクロコンピュータ９２は、それらの入力並びにあらかじめ記憶された制御プログラムに基づいて、前記モータ１６を駆動するインバータ回路９７に駆動制御信号を与えるようになっている。ここで、モータ１６は、前述のアウターロータ形であると共に、例えば直流のブラシレスモータから成っており、マイクロコンピュータ９２はインバータ回路９７を介して該モータ１６の回転速度を制御するようになっている。
【００４９】
そのほか、マイクロコンピュータ９２は、異常の報知を含む報知手段であるブザー９８と、前記操作パネル３の各種表示部７６〜８３、８８〜９１から成る表示ユニット９９、前記洗濯水加熱用のヒータ１８、排水弁１９、送風機２１のモータ２５、温風用のヒータ２８、給水ポンプ５７、配水装置５３の給水弁３６，５２，５４，５５、及び前記ドア２を閉鎖状態にロックするロック手段であるドアロック装置（図示せず）の駆動源たる電磁石１００を駆動するための駆動回路１０１に駆動制御信号を与えるようになっている。
【００５０】
次に、上記構成のものの作用を述べる。
まず、使用者の操作に基づき、ドラム式洗濯機の作動、中でも標準コースの作動が開始されると、図示しない洗濯物の洗い、すすぎ、脱水、乾燥が順に行われる。
【００５１】
洗い時の最初の行程は図１に示す「給水行程」である。この「給水行程」では、マイクロコンピュータ９２が、まず給水弁５４を開放させるものであり（ステップＳ１）、この給水弁５４の開放によって、洗濯水（水道水）が接続ホース６５を通じ、注水ケース６１内の洗剤投入用ケース４にセットされた洗剤と共に水槽８内に供給され、更にはドラム１０の小孔１１を通じてドラム１０内に供給される。従って、このとき、それら給水弁５４、接続ホース６５、注水ケース６１、及び給水管６２は、水槽８内、ひいてはドラム１０内に給水する給水手段として機能する。
【００５２】
この状況で、マイクロコンピュータ９２は、次に泡検知装置４８の圧力センサ４７の出力を取り込んで、それがドラム１０内の泡の異常発生レベルである所定値、この場合、ｘ〔ｋＨｚ〕以下であるか否かの判断をする（ステップＳ２）。ここで、図１０は泡検知装置４８の圧力センサ４７が検知した圧力と、それに基づく圧力センサ４７の出力との関係を示している。圧力センサ４７の出力は検知した圧力に相応した周波数であり、検知した圧力が大きいほど、その出力周波数は小さくなる関係にある。
【００５３】
この場合、ドラム１０内への給水中に、洗剤を含んだ洗濯水が、逐次供給される水の落下の衝撃等を受けることにより泡が発生し、更にその泡の下に、逐次供給される水が潜り込むことで泡が押し上げられると、その泡は、小孔１１や開口部１４から水槽８内に至って、更に水槽８内から、これに下部の空気入口３１で連通した熱交換器３０内に至り、更に、その熱交換器３０内からエアトラップ３７下部の第１の接続口３８を通じエアトラップ３７内に至って、該エアトラップ３７内の空気圧を上昇させる。すると、そのエアトラップ３７にエアチューブ４６を介して連通した圧力センサ４７が応動し、泡検知信号（周波数）を出力する。
【００５４】
上記ステップＳ２で、圧力センサ４７の出力が所定のｘ〔ｋＨｚ〕以下ではない（ＮＯ：ドラム１０内に泡が異常発生していない）と判断されれば、次に、水槽８内の貯留水位、ひいてはドラム１０内の貯留水位が予備撹拌開始水位に達したか否かの判断をし（ステップＳ３）、ここで達していない（ＮＯ）と判断されれば、ステップＳ２に戻る。
【００５５】
ステップＳ３で、予備撹拌水位に達した（ＹＥＳ）と判断されれば、予備撹拌を開始する（ステップＳ４）。この予備撹拌は、ドラム１０をモータ１６により間欠回転駆動するもので、具体的には、例えば図１１に示すように、ドラム１０を５０〔ｒｐｍ〕の回転速度で正転方向に５秒駆動−２秒休止−同じく５０〔ｒｐｍ〕の回転速度で逆転方向に５秒駆動−２秒休止を繰返すものである。
【００５６】
そして、次に、水槽８内の貯留水位（ドラム１０内の貯留水位）が洗いのための設定水位に達したか否かの判断をし（ステップＳ５）、ここで達していない（ＮＯ）と判断されれば、ステップＳ２に戻る。又、ステップＳ５で、設定水位に達した（ＹＥＳ）と判断されれば、給水弁５４を閉塞させ（ステップＳ６）、続いて、予備撹拌を終了し（ステップＳ７）、洗いの撹拌へと移行する（ステップＳ８）。
【００５７】
なお、洗いの撹拌は、ドラム１０をモータ１６により間欠ではあるものの予備撹拌より高速で長く回転駆動するもので、それは具体的には、やはり図１１に示すように、ドラム１０を６０〔ｒｐｍ〕の回転速度で正転方向に２０秒駆動−２秒休止−同じく６０〔ｒｐｍ〕の回転速度で逆転方向に２０秒駆動−２秒休止を繰返すものである。
【００５８】
これに対して、前記ステップＳ２で、圧力センサ４７の出力が所定のｘ〔ｋＨｚ〕以下である（ＹＥＳ：ドラム１０内に泡が異常発生した）と判断されれば、ステップＳ６に進む。すなわち、この場合には、給水を中止して、ドラム１０を回転させる運転（洗いの撹拌）に移行する制御をする。
【００５９】
なお、図示はしないが、上述のステップＳ２で、圧力センサ４７の出力が所定のｘ〔ｋＨｚ〕以下であると判断されたことに基づき、給水を中止して、ドラム１０を回転させる運転に移行する制御をしたときには、洗い撹拌では、洗濯水を一部排出して減らし、この状態で洗い撹拌を行うことにより、発生した泡を減じ、そして、新たな泡の発生を抑制するようにする。
【００６０】
又、その洗い撹拌中に、上述同様にして泡検知装置４８により泡の異常発生が検知されれば、マイクロコンピュータ９２は、所定の制御動作を実行する。その制御動作は、例えば、排水弁１９を開放させることによりドラム１０内の水を減らすであり、又はモータ１６の回転速度を減じてドラム１０の回転速度を落とす、もしくはその両方等である。
【００６１】
そして、すすぎ時には、上述の洗い時における「給水行程」と同様、もしくは予備撹拌を除いた「給水行程」を経た後、図１２に示す「すすぎ撹拌行程」を実行する。この「すすぎ撹拌行程」では、マイクロコンピュータ９２は、まず、すすぎ撹拌を開始する（ステップＳ１１）。このすすぎ撹拌は前述の洗い撹拌と同様に行う。
次に、マイクロコンピュータ９２は、泡検知装置４８の圧力センサ４７の出力を取り込んで、それがドラム１０内の泡の異常発生レベルである所定値、この場合、ｙ〔ｋＨｚ〕以下であるか否かの判断をする（ステップＳ１２）。
【００６２】
このステップＳ１２で、圧力センサ４７の出力が所定のｙ〔ｋＨｚ〕以下ではない（ＮＯ：ドラム１０内に泡が異常発生していない）と判断されれば、次に、すすぎ撹拌時間が経過したか否かの判断をし（ステップＳ１３）、経過していない（ＮＯ）と判断されれば、ステップＳ１２に戻る。又、ステップＳ１３で、すすぎ撹拌時間が経過した（ＹＥＳ）と判断されれば、すすぎ撹拌を終了し（ステップＳ１４）、排水行程へと移行する（ステップＳ１５）。この排水行程は、排水弁１９を開放させることによりドラム１０内の水を排出するものである。
【００６３】
これに対して、ステップＳ１２で、圧力センサ４７の出力が所定のｙ〔ｋＨｚ〕以下である（ＹＥＳ：ドラム１０内に泡が異常発生した）と判断されれば、ステップＳ１４に進む。すなわち、この場合には、ドラム１０の回転を中止して、ドラム１０内の水を排出する制御をする。
なお、こうしたすすぎは複数回行う。
【００６４】
脱水時には、ドラム１０がモータ１６により連続で高速回転されることにより、洗濯物に含まれた水分を遠心力にて小孔１１から振切り排出し、排水弁１９及び排水ホース２０を順に通じて排水する。
【００６５】
そして、乾燥時には、ドラム１０がモータ１６により回転されると共に、給水弁３６から第１の注水チューブ３５を通じて注水管３４に注水されつつ、送風機２１と加熱器２２とが作動される。すると、ドラム１０が回転される状況で、水槽８内の空気（ドラム１０内の空気）が、図３及び図５に矢印Ａで示すように、熱交換器３０内を下部の空気入口３１から上部へと通される。又、このとき、熱交換器３０内には、給水弁３６から注水管３４に注入された水がその注水管３４の噴水口３４ａから矢印Ｂで示すように噴射されて流下し、この流下する水に、熱交換器３０内を通る上記水槽８内の空気中の水蒸気が触れて冷却され、凝縮されることにより除湿される。
【００６６】
そして、その除湿された空気は、その後、送風機２１のケーシング２３内から加熱器２２のケース２７内に送り込まれて、温風生成用ヒータ２８により加熱されることにより温風化された後、ダクト２９を通って水槽８内に戻され、更にドラム１０内に戻される。このドラム１０内に戻された空気は、ドラム１０内を通る過程で該ドラム１０内の洗濯物から湿気を奪い、その後、再び熱交換器３０内を下部から上部へと通されるということが繰返されて循環されるものであり、かくして、洗濯物の乾燥が行われる。
【００６７】
しかして、洗濯物の乾燥が上述のように行われるとき、洗濯物からはリント  （糸屑）が散出する。この洗濯物から散出したリントは、ドラム１０内から水槽８内に出て該水槽８内から熱交換器３０内に至る空気に運ばれ、熱交換器３０内に侵入するが、このとき、給水弁５２からは第２の注水チューブ５１を通じてエアトラップ３７内に注水する。このエアトラップ３７内に注入された水は、エアトラップ３７内を図７に矢印Ｃで示すように通って、該エアトラップ３７の第１の接続口３８から熱交換器３０内へと至る。
【００６８】
このため、エアトラップ３７のドラム側接続口であるその第１の接続口３８に、図７に示すようにリントｌが引掛かっても、それは上述のエアトラップ３７内に注入されて該エアトラップ３７の第１の接続口３８から熱交換器３０内へと至る水により流し落とされる。
【００６９】
よって、その部分でリントｌが堆積することがなくなり、その堆積したリントｌでその部分の空気流通断面積が縮小されるというようなこともなくなるので、泡発生時の空気圧の変化が正常でなくなることもなくなり、泡の検知が常に誤りなくできるようになる。
【００７０】
このように本構成のものでは、ドラム１０内への給水中に、ドラム１０内の泡の異常発生が検知されたときには、その給水を中止して、ドラム１０を回転させる運転に移行する制御をするものであり、それによって、ドラム１０内への給水をそれ以上続けることが避けられるから、泡の発生が抑制され、泡の発生を更に増やしてしまうことのないようにできる。
【００７１】
又、本構成のものでは、すすぎのドラム１０回転中にドラム１０内の泡の異常発生が検知されたときには、そのドラム１０の回転を中止して、ドラム１０内からの排水を行う運転に移行する制御をするものであり、それによって、ドラム１０をそれ以上回転させ続けることが避けられるから、泡の発生が抑制され、泡の発生を更に増やしてしまうことのないようにできる。
なお、この、ドラム１０の回転を中止して、ドラム１０内からの排水を行う運転に移行する制御をする場合には、それによるすすぎ不足を補うべく、すすぎの回数を１回ないしは複数回増やすようにしても良い。
【００７２】
以上に対して、図１３ないし図２３は本発明の第２ないし第６実施例を示すもので、それぞれ、第１実施例と同一の部分には同一の符号を付して説明を省略し、異なる部分についてのみ述べる。
【００７３】
［第２実施例］
図１３ないし図１５に示す第２実施例においては、マイクロコンピュータ９２が、「洗い行程」で、最初にドラム１０内に設定水位まで給水し（ステップ１０１）、その後に、ドアロック装置の駆動源電磁石１００を作動させてドア２を閉鎖状態にロックする（ステップＳ１０２）。次いで、洗い撹拌を開始し（ステップＳ１０３）、その後、泡検知装置４８の圧力センサ４７の出力を取り込んで、それがドラム１０内の泡の異常発生レベルである所定値、この場合、ｚ〔ｋＨｚ〕以下であるか否かの判断をする（ステップＳ１０４）。
【００７４】
図１４は、洗い撹拌の経過時間と泡検知装置４８の圧力センサ４７の出力との関係、すなわち、洗い撹拌中における泡検知装置４８の圧力センサ４７の出力の変化の様子を、ドラム１０内の泡の発生の大小の違いで示しており、ドラム１０泡の発生が多いときほど早く泡の異常発生レベルである所定のｚ〔ｋＨｚ〕以下に達する。なお、このｚ〔ｋＨｚ〕に対して、先のｘ〔ｋＨｚ〕及びｙ〔ｋＨｚ〕はそれよりもレベルが小さいものであり、更に、ｘ〔ｋＨｚ〕とｙ〔ｋＨｚ〕は同等か、もしくはｘ〔ｋＨｚ〕よりｙ〔ｋＨｚ〕がやゝ大きいレベルである。
【００７５】
前記ステップＳ１０４で、圧力センサ４７の出力が所定のｚ〔ｋＨｚ〕以下ではない（ＮＯ：ドラム１０内に泡が異常発生していない）と判断されれば、次に、ドアロック装置によるドア２のロックの解除が可能であることの判断をすると共にその記憶をする（ステップＳ１０５）。又、ステップＳ１０４で、圧力センサ４７の出力が所定のｚ〔ｋＨｚ〕以下である（ＹＥＳ：ドラム１０内に泡が異常発生した）と判断されれば、ドアロック装置によるドア２のロックの解除が不可であることの判断をすると共にその記憶をする（ステップＳ１０６）。
【００７６】
そして、「スタート／一時停止」スイッチ６９の操作（一時停止操作）があったか否かの判断をし（ステップＳ１０７）、なかった（ＮＯ）と判断されれば、次に洗い撹拌時間が経過したか否かの判断をする（ステップＳ１０８）。このステップＳ１０８で経過していない（ＮＯ）と判断されれば、ステップＳ１０４に戻る。又、ステップＳ１０８で、洗い撹拌時間が経過した（ＹＥＳ）と判断されれば、洗い撹拌を終了し（ステップＳ１０９）、次の行程へと移行する（ステップＳ１１０）。
【００７７】
これに対して、ステップＳ１０７で、「スタート／一時停止」スイッチ６９の操作があった（ＹＥＳ）と判断されれば、洗い撹拌を中止し（ステップＳ１１１）、その後に、前記ステップＳ１０６でドアロック装置によるドア２のロックの解除が不可と判断したか否かの判断をする（ステップＳ１１２）。そして、このステップＳ１１２で、不可と判断していない（ＮＯ）と判断されれば、ドアロック装置によるドア２のロックを解除し（ステップＳ１１３）、その後に、「スタート／一時停止」スイッチ６９の操作（スタート操作）があったか否かの判断をして（ステップＳ１１４）、その操作がなかった（ＮＯ）と判断されれば、ステップＳ１１４を繰返すが、あった（ＹＥＳ）と判断されれば、ステップＳ１０２に戻る。
【００７８】
これに対して、ステップＳ１１２で、不可と判断した（ＹＥＳ）と判断されれば、ステップＳ１１４に進む。すなわち、この場合には、一時停止操作があってもドア２のロックを解除しない制御をする。
【００７９】
このようにすることにより、運転中、ドラム１０内に泡が異常発生している状況では、一時停止操作をしてもドア２のロックが解除されないので、そのドア２を不用意に開けてしまうことが避けられ、洗濯物出入口５からの泡のあふれ出しに困惑することのないようにできる。
【００８０】
なお、この、一時停止操作があってもドア２のロックを解除しない制御をするとき（例えばステップＳ１１２で、不可と判断したと判断された直後）には、ドア２のロックを解除しない旨の報知を、例えば操作パネル３の表示部８１とブザー９８とにより行うようにしても良く、その表示部８１による報知の一例を図１５に示す。この報知はエラーコードを示している。
【００８１】
［第３実施例］
図１６ないし図１８に示す第３実施例においては、マイクロコンピュータ９２が、「排水行程」、中でも最終すすぎ時の「排水行程」で、まず排水弁１９を開放させ（ステップＳ２０１）、これによりドラム１０内の水を排出する排水を行う。次いで、ドラム１０内の水位（水槽８内の水位）が、水位センサ４９による検知可能最低水位であるリセット水位以下に達したか否かの判断をし（ステップＳ２０２）、達していない（ＮＯ）と判断されれば、このステップＳ２０２を繰返す。
【００８２】
マイクロコンピュータ９２は、上記ステップＳ２０２で、リセット水位に達した（ＹＥＳ）と判断されれば、給水弁５２を開放させる（ステップＳ２０３）。これにより、給水弁５２から第２の注水チューブ５１を通じてエアトラップ３７内に注水するもので、その注入された水は、エアトラップ３７の第１の接続口３８にリントｌ等の詰まりがなければ、エアトラップ３７内を前述のごとく通って、該エアトラップ３７の第１の接続口３８から熱交換器３０内へと至る。
【００８３】
これに対して、例えば、前回までの乾燥を含む運転で、洗濯物の種類等により、上記給水弁５２からエアトラップ３７内に注入した水で流し切れないほどのリントが出た場合などは、それがエアトラップ３７の第１の接続口３８に堆積して詰まりを生じる。このようになると、エアトラップ３７内に注入された水は、図１７にＷで示すようにエアトラップ３７内に溜まる。
【００８４】
こうした状況で、マイクロコンピュータ９２は、泡検知装置４８の圧力センサ４７の出力を取り込んで、それが異常レベルである所定値、この場合、例えば３７〔ｋＨｚ〕以下であるか否かの判断をする（ステップＳ２０４）。
【００８５】
この場合、エアトラップ３７の第１の接続口３８にリントｌ等による詰まりがなく、エアトラップ３７内に注入された水がエアトラップ３７内を通って熱交換器３０内へと至る状況では、泡検知装置４８の圧力センサ４７の出力は３７〔ｋＨｚ〕以下とはならず、上記ステップＳ２０４では、３７〔ｋＨｚ〕以下ではない（ＮＯ）と判断される。このように判断されれば、次に、所定の検査時間が経過したか否かの判断をし（ステップＳ２０５）、経過していない（ＮＯ）と判断されれば、ステップＳ２０４に戻るが、経過した（ＹＥＳ）と判断されれば、給水弁５２を閉塞させる（ステップＳ２０６）。
【００８６】
これに対して、エアトラップ３７の第１の接続口３８にリントｌ等による詰まりがあって、エアトラップ３７内に注入された水がエアトラップ３７内に溜まる状況では、その溜まった水の体積分の空気が圧縮される。このときのエアトラップ３７を介する圧力の変化は、エアトラップ３７内に溜まった水によるものであるから、前述の泡によるものよりかなり大きく、上述の３７〔ｋＨｚ〕以下となる。図１８は、このときの泡検知装置４８の圧力センサ４７の出力の変化の様子を示しており、圧力センサ４７の出力は正常時の４２〔ｋＨｚ〕から異常レベルである３７〔ｋＨｚ〕以下までたちまちのうちに低下し、しかも、それが続く。
【００８７】
このため、前記ステップＳ２０４では、３７〔ｋＨｚ〕以下である（ＹＥＳ）と判断され、その後、タイムカウントして（ステップＳ２０７）、その後に所定の５秒が経過したか否かの判断（ステップＳ２０８）をしたときにも、経過した（ＹＥＳ）と判断される。なお、この場合、ステップＳ２０８で、経過していない（ＮＯ）と判断されるうちは、ステップＳ２０４に戻る。ステップＳ２０８で、５秒が経過した（ＹＥＳ）と判断されれば、エアトラップ３７の第１の接続口３８に詰まりが発生したと判断すると共にそれを記憶し（ステップＳ２０９）、その後にステップＳ２０６に進む。
【００８８】
ステップＳ２０６の後、マイクロコンピュータ９２は、脱水を開始し（ステップＳ２１０）、その脱水を所定時間行って（ステップＳ２１１）後、乾燥行程に移行する（ステップＳ２１２）。そして、その乾燥を所定時間行って（ステップＳ２１３）後、すなわち、この場合、全運転を終了して後、エアトラップ３７の第１の接続口３８に詰まりが発生したと判断したか否かの判断をし（ステップＳ２１４）、発生したと判断していない（ＮＯ）と判断されれば、作動を終了する（ステップＳ２１５）。
【００８９】
又、ステップＳ２１４で、発生したと判断した（ＹＥＳ）と判断されれば、エアトラップ３７の第１の接続口３８に詰まりが発生した旨の報知を行う（ステップ２１６）。この報知は、例えば操作パネル３の表示部８１とブザー９８とにより、前述の第２実施例におけるドア２のロックを解除しない旨の報知とはエラーコード表示を異ならせて行う。
【００９０】
このように第３実施例においては、エアトラップ３７内に注水してその圧力の変化により該エアトラップ３７のドラム側接続口である第１の接続口３８の詰まりを検知する方法を採用している。この方法によれば、前述のごとく、エアトラップ３７の第１の接続口３８が詰まっている状況では、エアトラップ３７内には注入した水が溜まり、その溜まった水の体積分の空気が水で圧縮されることにより、エアトラップ３７を介する圧力の変化が、泡の異常発生時のものよりかなり大きくなるので、エアトラップ３７内に注水するだけのことで、泡の異常発生時とは明確に区別してエアトラップ３７の第１の接続口３８の詰まりを検知することができる。
【００９１】
又、ドラム式洗濯機としては、上記エアトラップ３７の第１の接続口３８の詰まりを最終すすぎ時に検知し、その第１の接続口３８に詰まりが発生したと判断したときに、全運転を終了した時点で報知をするようにしている。この最終すすぎでエアトラップ３７の第１の接続口３８の詰まりを検知したときには、その後、泡の発生がなくて泡の異常発生を検知する必要のない脱水運転や乾燥運転は行っても支障ないので、全運転を終了した時点で報知をすることにより、運転の途中に使用者を呼び付けることのないようにできる。
【００９２】
なお、この場合、全運転の終了は、運転を乾燥行程まで行うように設定しているときは、上述のように乾燥を所定時間行った時点であるが、脱水まで行うように設定しているときは、脱水を所定時間行った時点である。
【００９３】
［第４実施例］
図１９に示す第４実施例においては、マイクロコンピュータ９２が、上述のエアトラップ３７の第１の接続口３８の詰まりの検査を洗い時又はすすぎ時の「給水行程」で行うようにしたもので、具体的には、まずエアトラップ３７内に注水する給水弁５２を開放させる（ステップＳ３０１）。次に、水槽８内（ドラム１０内）に給水する給水弁５４を開放させ（ステップＳ３０２）、この状態で、泡検知装置４８の圧力センサ４７の出力を取り込み、それが３７〔ｋＨｚ〕以下であるか否かの判断をする（ステップＳ３０３）。
【００９４】
ステップＳ３０３で、３７〔ｋＨｚ〕以下ではない（ＮＯ）と判断されれば、次に、水槽８内の貯留水位が洗い又はすすぎのための設定水位に達したか否かの判断をし（ステップＳ３０４）、達していない（ＮＯ）と判断されれば、ステップＳ３０３に戻るが、達した（ＹＥＳ）と判断されれば、給水弁５２を閉塞させ（ステップＳ３０５）、更に、給水弁５４を閉塞させて（ステップＳ３０６）、洗い又はすすぎの撹拌へと移行する（ステップＳ３０７）。
【００９５】
これに対して、ステップＳ３０３で、３７〔ｋＨｚ〕以下である（ＹＥＳ）と判断されれば、その後、タイムカウントをし（ステップＳ３０８）、所定の５秒が経過したか否かの判断をして（ステップＳ３０９）、経過していない（ＮＯ）と判断されれば、ステップＳ３０３に戻るが、経過した（ＹＥＳ）と判断されれば、エアトラップ３７の第１の接続口３８に詰まりが発生したと判断すると共にそれを記憶し（ステップＳ３１０）、その後にステップＳ３０５に進む。
【００９６】
エアトラップ３７の第１の接続口３８の詰まりの検査は、このように洗い時又はすすぎ時の「給水行程」で行うようにしても良い。又、同検査は、洗い時又はすすぎ時の「排水行程」（第３実施例を含む）で行うようにしても良いもので、その「給水行程」及び「排水行程」では、ドラム１０内に水が少なく、ドラム１０を回転させてもいないので、泡の発生があり得ない、又はあっても少ない。従って、泡検知装置４８の圧力センサ４７の出力を、ドラム１０内の泡の異常発生と混同することがなく、誤検知のおそれをなくし得る。
【００９７】
［第５実施例］
図２０ないし図２２に示す第５実施例においては、洗いを温水で行う温水洗浄時、スタート後、水槽８内に給水する給水弁５４を開放させて、水槽８内の貯留水位が洗いのための設定水位に達したところでその給水を終え、代わりに洗濯水加熱用のヒータ１８を水温が所定の例えば６０〔℃〕の温度に達するまで発熱させる。このヒータ１８を発熱させている間、ドラム１０をモータ１６により間欠回転駆動するもので、それは具体的には、例えば、ドラム１０を３０〔ｒｐｍ〕の回転速度で正転方向に２秒駆動−３８秒休止−同じく３０〔ｒｐｍ〕の回転速度で逆転方向に２秒駆動−３８秒休止を繰返すものである。
【００９８】
そして、その後（水温が６０〔℃〕に達した後）、ヒータ１８の発熱を停止させて、ドラム１０をモータ１６により間欠回転駆動するもので、それは具体的には、例えば、ドラム１０を６０〔ｒｐｍ〕の回転速度で正転方向に２０秒駆動−２秒休止−同じく６０〔ｒｐｍ〕の回転速度で逆転方向に２０秒駆動−２秒休止を繰返すものである。
【００９９】
このように温水洗浄を行う中で、図２１に示すように、ドラム１０内に泡が少なくしか発生しない状況や、やゝ多めにしか発生しない状況では、運転をそのまま実行する。しかし、泡が多く異常発生した状況では、それが泡検知装置４８により前述のごとく検知されることにより、運転を全面的に中止し、その旨の報知を例えば操作パネル３の表示部８１とブザー９８とにより行う。
【０１００】
従って、この場合には、洗濯水加熱用のヒータ１８がその時点で発熱を停止して洗濯水の加熱を中止するものであり、かくして、ドラム１０内の洗剤を含んだ水がそれ以上加熱されることが避けられて、泡の発生が抑制され、泡の発生を更に増やしてしまうことのないようにできる。又、従来のもののようにドラム１０内から排水だけして運転、特にはヒータ１８による洗濯水の加熱を続行することがないので、ドラム１０内に水がない、もしくは少ない状態で、ヒータ１８を発熱させ続ける空炊きの危険を回避できる。
【０１０１】
なお、この場合、運転を全面的に中止せず、洗濯水加熱用のヒータ１８の発熱を停止させるだけであっても良い。又、図２２はこの場合の表示部８１による報知の一例を示しており、これもエラーコードを示している。
【０１０２】
［第６実施例］
図２３に示す第６実施例においては、熱交換器３０内に注水する注水管３４の接続部３４ｂに、分岐口１１１ａを有する例えばＹ字形の管継手１１１を介して第１の注水チューブ３５の一端部を接続しており、そして、その管継手１１１の分岐口１１１ａに、前記第２の注水チューブ５１に代わる第２の注水チューブ１１２の一端部を接続し、この第２の注水チューブ１１２の他端部をエアトラップ３７の第３の接続口４０に接続している。
【０１０３】
従って、この場合、エアトラップ３７には、給水弁３６から第１の注水チューブ３５及び管継手１１１を経て注水管３４に至る水が、管継手１１１の分岐口１１１ａから第２の注水チューブ１１２に分岐されて、この第２の注水チューブ１１２を通り第３の接続口４０から注入されるものであり、その給水弁３６と第１の注水チューブ３５、管継手１１１（分岐口１１１ａ）、及び第２の注水チューブ１１２が、エアトラップ３７内に注水する注水手段として機能する。
これにより、熱交換器３０内への注水と、エアトラップ３７内への注水が、給水弁３６など給水元を一つにしてできるので、構成を合理的にできて、コストを安く済ませることができる。
【０１０４】
以上、本発明の各実施例を述べたが、それら以外にも、例えば泡の異常発生、及びエアトラップ３７の詰まりの検知は、圧力センサ４７の出力の値からではなく、その出力の変化量から判断するようにしても良い。又、エアトラップ３７は、水槽８やベロー１５等に設けるようにしても良いものであり、すなわち、ドラム１０内の泡の異常発生が検知できる部分であれば、熱交換器３０以外の箇所に設けるようにしても良い。
【０１０５】
【発明の効果】
以上説明したように、本発明の請求項１のドラム式洗濯機によれば、ドラム内への給水中に泡が異常発生した場合に、泡の発生を更に増やしてしまうことのないようにできる。
【０１０６】
請求項２のドラム式洗濯機によれば、運転中、泡が異常発生している状況で、不用意にドアを開けてしまうことのないようにできる。
請求項３のドラム式洗濯機の泡検知用エアトラップの詰まり検知方法によれば、そのエアトラップのドラム側接続口の詰まりを、簡単且つ確実に検知することができる。
【図面の簡単な説明】
【図１】本発明の第１実施例を示す作用説明用のフローチャートその１
【図２】洗濯機全体の正面図
【図３】洗濯機全体の破断側面図
【図４】洗濯機全体の、外箱天板を取外した状態の平面図
【図５】洗濯機全体の、外箱背板を取外した状態の破断背面図
【図６】泡検知用エアトラップ部分の拡大背面図
【図７】図６のＸ−Ｘ線に沿う断面図
【図８】操作パネル部分の拡大正面図
【図９】電気的構成のブロック図
【図１０】泡検知装置の圧力センサの特性図
【図１１】洗い時の給水開始から洗い撹拌にかけての給水弁とドラムの動作を示すタイムチャート
【図１２】作用説明用のフローチャートその２
【図１３】本発明の第２実施例を示す作用説明用のフローチャート
【図１４】泡検知装置の圧力センサ出力の、洗い撹拌時における経時変化図
【図１５】報知の一例を示す部分拡大正面図
【図１６】本発明の第３実施例を示す作用説明用のフローチャート
【図１７】泡検知用エアトラップ部分の詰まり検知時状態の破断背面図
【図１８】泡検知装置の圧力センサ出力の、エアトラップ詰まり時の経時変化図
【図１９】本発明の第４実施例を示す作用説明用のフローチャート
【図２０】本発明の第５実施例を示すタイムチャート
【図２１】泡検知装置の圧力センサ出力の、温水洗浄加温時における経時変化図
【図２２】報知の異なる例を示す部分拡大正面図
【図２３】本発明の第６実施例を示す図５相当図
【符号の説明】
２はドア、５は洗濯物出入口、１０はドラム、１６はモータ、１９は排水弁  （排水手段）、２０は排水ホース（排水手段）、３０は熱交換器、３３は乾燥ユニット、３４は注水管、３７はエアトラップ、３８は第１の接続口（ドラム側接続口）、４６はエアチューブ、４７は圧力センサ、４８は泡検知装置（泡検知手段）、５１は第２の注水チューブ、５２は給水弁、５４は給水弁（給水手段）、６５は接続ホース（給水手段）、６１は注水ケース（給水手段）、６２は給水管（給水手段）、６９は「スタート／一時停止」スイッチ（一時停止操作手段）、８１は表示部、９２はマイクロコンピュータ（制御手段）、９８はブザー、１００はドアロック装置の電磁石（ロック手段）、１１１ａは継手の分岐口、１１２は第２の注水チューブを示す。
【図１】
0003643776.tif 000002
【図２】
0003643776.tif 000003
【図３】
0003643776.tif 000004
【図４】
0003643776.tif 000005
【図５】
0003643776.tif 000006
【図６】
0003643776.tif 000007
【図７】
0003643776.tif 000008
【図８】
0003643776.tif 000009
【図９】
0003643776.tif 000010
【図１０】
0003643776.tif 000011
【図１１】
0003643776.tif 000012
【図１２】
0003643776.tif 000013
【図１３】
0003643776.tif 000014
【図１４】
0003643776.tif 000015
【図１５】
0003643776.tif 000016
【図１６】
0003643776.tif 000017
【図１７】
0003643776.tif 000018
【図１８】
0003643776.tif 000019
【図１９】
0003643776.tif 000020
【図２０】
0003643776.tif 000021
【図２１】
0003643776.tif 000022
【図２２】
0003643776.tif 000023
【図２３】
0003643776.tif 000024